(57)【特許請求の範囲】
【請求項１】
原稿を１枚ずつ分離搬送するための分離用のローラと、原稿を画像読取部まで搬送する搬送ローラを備え、前記各ローラをタイミングベルトとタイミングプーリを介して駆動モータにより適宜正逆回転駆動する構成の画像読取装置において、前記タイミングベルトに弾接して歯飛びを防止するためにテンションを加える板ばねと、逆転時における板ばねの変形を規制する弾性部材とを備えたことを特徴とする画像読取装置における駆動装置。
【請求項２】
前記弾性部材を高密度スポンジ体としたことを特徴とする請求項１記載の画像読取装置における駆動装置。
【請求項３】
前記弾性部材を低硬度のゴム材としたことを特徴とする請求項１記載の画像読取装置における駆動装置。
【発明の詳細な説明】
【０００１】
【発明の属する技術分野】
本発明は、ファクシミリ装置，複写機などにおける原稿情報を読み取る画像読取装置に適用され、特に原稿を読取位置まで搬送するための搬送系の駆動装置に関する。
【０００２】
【従来の技術】
従来、ファクシミリ装置では、原稿を画像読取センサまで搬送する搬送ローラを備えており、その搬送ローラをタイミングベルトとタイミングプーリを介して駆動モータにより回転駆動する構造になっている。そして、搬送ローラの搬送精度を向上させるため、タイミングベルトにおける歯飛びを防止する必要から、通常、タイミングベルトにテンションを加えるようにしている。
【０００３】
タイミングベルトに対するテンション付加を行う構造としては、実開平６−６７９５２号公報に記載されているようなテンションプーリを使用したり、板ばねをタイミングベルトに弾接する構造が用いられている。
【０００４】
【発明が解決しようとする課題】
前記従来の板ばねによるタイミングベルトへのテンション付与方式において、駆動モータを正転逆転させる必要のあるものでは、板ばねに３つの機能が必要であった。すなわち、
第１は、正転時の通常負荷において歯飛びを発生させないためにタイミングプーリに対するタイミングベルトの適正な巻き付き角を得るため、弛み側ベルトの位置規制を行う加圧力を与えること、
第２は、逆転時に歯飛びを発生させないための大きな加圧力を与えること、
第３は、正転時に過負荷が発生したときのフェイルセーフ機能として歯飛びを発生させること、
である。
【０００５】
しかしながら、前記３つの機能を備えた板ばねを製作することは、その形状あるいは荷重管理（ベルトテンション管理を含む）が非常に難しく、部品コストの増加および組付工数の増加、さらにはベルトテンションの増加に伴う機械系への負荷の増大など問題が多かった。
【０００６】
本発明の目的は、前記従来の問題を解決し、簡単な構成によって、歯飛びなどの不具合の発生を防止して、円滑なベルト駆動が行われるようにした画像読取装置における駆動装置を提供することにある。
【０００７】
【課題を解決するための手段】
前記目的を達成するため、本発明は、原稿を１枚ずつ分離搬送するための分離用のローラと、原稿を画像読取部まで搬送する搬送ローラを備え、前記各ローラをタイミングベルトとタイミングプーリを介して駆動モータにより適宜正逆回転駆動する構成の画像読取装置において、前記タイミングベルトに弾接して歯飛びを防止するためにテンションを加える板ばねと、逆転時における板ばねの変形を規制する高密度スポンジ体または低硬度のゴム材などの弾性部材とを備えたものであり、この構成によって、板ばねの特性を正転時における弛みを防止することができる程度の撓みやすい小荷重のものに設定しても、逆転時の板ばねにおける過変形は弾性部材によって規制されて歯飛びを防ぐことができ、従来のように、安全確保のために板ばねを大負荷のものにすることによって生じていた歯欠けなどの不具合の発生も少なくなり、各部の設計が容易になる。さらに小荷重の板ばねの取り付けは容易であって、また弾性部材は板ばねと共にダンパーとして機能してベルト振動を防止することができる。
【０００８】
【発明の実施の形態】
以下、本発明の好適な実施形態について図面を参照しながら説明する。
【０００９】
図１は本発明の実施形態を説明するためのファクシミリ装置の画像読取部を示す概略構成図、図２は図１の画像読取部の拡大図であり、１は装置本体、２は装置本体１の上部に搭載された画像読取部、３は原稿セット用テーブル、４は原稿排紙用テーブルであって、画像読取部２において、５は原稿セット用テーブル３の原稿を給紙するピックアップローラ、６はピックアップローラ５に原稿を押圧する圧板、７と８は原稿を１枚ずつ分離搬送するフィードローラと分離ローラ、９は原稿情報を読み取る読取センサ、１０は読取センサ９の上方に設置された白基準板、１１，１２は読取センサ９における原稿搬送方向の上流側と下流側とにそれぞれ設置された搬送ローラである。
【００１０】
画像読取部２において、原稿セット用テーブル３にセットされた原稿は、圧板６によってピックアップローラ５に押圧されながらフィードローラ７方向へ給紙される。フィードローラ７と分離ローラ８とでは用紙との摩擦抵抗の差によって、公知のように原稿が重送されてきた場合に原稿を１枚ずつ読取センサ９方向へ搬送する。分離搬送された原稿は、搬送ローラ１１，１２によって読取センサ９上を所定の搬送速度にて搬送されながら、読取センサ９によって原稿情報が読み取られ、その後、原稿排紙用テーブル４へ排出される。
【００１１】
図３は前記画像読取部における各ローラの駆動系の要部を示す構成図であり、２０はスキャナベース、２１はステッピングモータ（図示せず）の駆動ギヤ、２２は駆動ギヤと噛合して減速させるための従動ギヤ、２３は従動ギヤ２２と同軸に設けられた駆動タイミングプーリ、２４，２５は搬送ローラ１１，１２にそれぞれ設けられた従動タイミングプーリ、２６は駆動タイミングプーリ２３と従動タイミングプーリ２４，２５とに噛合して回転駆動力を伝達するタイミングベルトである。
【００１２】
またステッピングモータの駆動ギヤ２１の駆動力は、図示しないタイミングベルトなどによって、公知のようにフィードローラ７に伝達され、さらにピックアップローラ５を圧板６に対して接して給紙を行う位置と、圧板６から離れる待機位置とに移動させるために用いられる。
【００１３】
図３において、３０はタイミングベルト２６を押圧してテンションを与えているコロ、３１は、一端の自由端側３１ａにおいてコロ３０を支持し、中間部３１ｂが略く字状に湾曲し、かつ他端３１ｃがスキャナベース２０に固定された板ばね、３２は板ばね３１の内側に設けられて板ばね３１の自由端側３１ａと当接するスポンジあるいはゴムなどの弾性部材である。
【００１４】
前記構成の本実施形態では、図３において、原稿搬送時、ステッピングモータの駆動ギヤ２１から、従動ギヤ２２，駆動タイミングプーリ２３を介してタイミングベルト２６を正転方向（矢印Ａ方向）へ移動させる回転駆動力が伝達され、従動タイミングプーリ２４，２５を介して搬送ローラ１１，１２が正転方向に回転することになる。このとき、タイミングベルト２６の弛み側に対して板ばね３１がコロ３０を介してテンションを加える。このときのコロ３０の位置は、従動ギヤ２２と同軸に設けられた駆動タイミングプーリ２３に対するタイミングベルト２６の巻き付き角が歯飛びを発生させない位置に設定されており、かつ板ばね３１により、その位置が保持されるように十分な加圧力（テンション）が与えられている。
【００１５】
また、ピックアップローラ５を前記待機位置に移動させるため、前記とは逆転駆動させてタイミングベルト２６を矢印Ｂ方向に移動すると、タイミングベルト２６の弛み側が張り側になるため、その変化によって板ばね３１が外側に撓んで変形するが、この変形は弾性部材３２により規制されて板ばね３１の過剰な変形が防止され、よって、歯飛びの発生を阻止するテンション状態を維持することができる。
【００１６】
このように、逆転時における板ばね３１の変形が弾性部材３２によって規制されるため、板ばね３１として、変形に対応するための複雑な形状設計、あるいは荷重設定を行う必要がなくなり、正転時における弛み防止に対応できる比較的小荷重のばね設定が可能になる。
【００１７】
また、板ばね３１が撓み荷重の小さなものであることは、タイミングベルト２６の組み付けに支障を与えず、組立が容易になる。さらに各部に与えるばね負荷が小さくなることから、過負荷が原因となるギヤの歯欠けの発生など、各部における損傷の発生を未然に防止することができ、耐久性の向上にも寄与する。
【００１８】
また、弾性部材３２がダンパーとして機能することによって、タイミングベルト２６における振動防止がなされ、円滑なベルト駆動が実現する。
【００１９】
なお、弾性部材３２としては、板ばね３１の変形を受けて規制することができる可撓性と弾性を有する材料であれば使用することができるが、例えば高密度スポンジ体、または低硬度のゴム材などが好ましい。
【００２０】
【発明の効果】
以上説明したように、本発明によれば、タイミングベルトを用いた駆動力伝達系において、タイミングベルトに対して適当なテンションを与えるために板ばねを使用した構成にあって、複雑な形状およびばね荷重設定を必要とせずに、簡単な構成によって、正逆転時の歯飛びなどの不具合の発生を確実に防止することができ、円滑なベルト駆動を実現することができる。
【図面の簡単な説明】
【図１】本発明の実施形態を説明するためのファクシミリ装置の画像読取部を示す概略構成図
【図２】本発明の実施形態における画像読取部の拡大図
【図３】本発明の実施形態における画像読取部の各ローラの駆動系の要部を示す構成図
【符号の説明】
２  画像読取部
５  ピックアップローラ
７  フィードローラ
８  分離ローラ
９  読取センサ
１１，１２  搬送ローラ
２０  スキャナベース
２１  駆動ギヤ
２２  従動ギヤ
２３  駆動タイミングプーリ
２４，２５  従動タイミングプーリ
２６  タイミングベルト
３０  コロ
３１  板ばね
３２  弾性部材
【図１】
0003799192.tif 000002
【図２】
0003799192.tif 000003
【図３】
0003799192.tif 000004